(57)【要約】【課題】交通事故や違反の再発を防止できる交通違反再発防止システムを提供する。【解決手段】事故情報および違反情報を含む免許証情報が記録された運転免許証２とナビゲーション装置１とを備えた交通違反再発防止システムであって、ナビゲーション装置は、地図情報を記憶する情報記憶部１９と、運転免許証に記録されている事故情報および違反情報を含む免許証情報を読み取る読取部１７、１８と、読取部で読み取られた免許証情報に含まれる事故情報または違反情報によって示される事故または違反の発生地点を情報記憶部に記憶されている地図情報に反映する情報解析部２０と、情報記憶部に記憶されている地図情報に基づき案内を行い、案内する地点が情報記憶部に記憶されている地図情報によって示される事故または違反の発生地点に至った場合に注意喚起メッセージを出力するシステム制御部２１とを備えている。【選択図】図１
2007315800.tif 000002
【特許請求の範囲】
【請求項１】
事故情報および違反情報を含む免許証情報が記録された運転免許証とナビゲーション装置とを備えた交通違反再発防止システムにおいて、
前記ナビゲーション装置は、
地図情報を記憶する情報記憶部と、
運転免許証に記録されている事故情報および違反情報を含む免許証情報を読み取る読取部と、
前記読取部で読み取られた免許証情報に含まれる事故情報または違反情報によって示される事故または違反の発生地点を前記情報記憶部に記憶されている地図情報に反映する情報解析部と、
前記情報記憶部に記憶されている地図情報に基づき案内を行い、案内する地点が前記情報記憶部に記憶されている地図情報によって示される事故または違反の発生地点に至った場合に注意喚起メッセージを出力するシステム制御部
とを備えた交通違反再発防止システム。
【請求項２】
読取部は、無線通信により運転免許証から免許証情報を読み取る
ことを特徴とする請求項１記載の交通違反再発防止システム。
【請求項３】
事故情報および違反情報を含む免許証情報を保持する情報管理装置と、
ナビゲーション装置を前記情報管理装置に通信網を介して接続する外部通信装置とを備え
前記ナビゲーション装置は、
前記情報管理装置から通信網および前記外部通信装置を介して免許証情報を取得する外部通信制御部を備え、
情報解析部は、前記外部通信制御部で取得された免許証情報に含まれる事故情報または違反情報によって示される事故または違反の発生地点を情報記憶部に記憶されている地図情報に反映する
ことを特徴とする請求項１記載の交通違反再発防止システム。
【発明の詳細な説明】
【技術分野】
【０００１】
この発明は、交通事故や違反の再発を防止するための交通違反再発防止システムに関し、特に、電子化された運転免許証とナビゲーション装置とを利用して交通事故や違反の再発を防止する技術に関する。
【背景技術】
【０００２】
従来、電子化された運転免許証を用いて車載機器を制御するシステムが知られている。例えば、特許文献１は、ＩＣカードを利用した運転免許証および自動車装置を開示している。この特許文献１に開示された技術では、運転免許証としてＩＣカードを用い、このＩＣカードに、例えば個人の交通違反情報や使用する車の故障修理情報等を記憶させ、ＩＣカードに記憶されている車載機器のディスプレイの画面上に表示させたり、さらには、その運転免許証を用いて、自分が使用する車のドアを開放したり、エンジンを始動させることができる。
【０００３】
また、特許文献２は、車載機器使用の認証を行うため、車両側に運転免許証の情報を書き込み、変更できる電子運転免許証システムを開示している。この電子運転免許証システムにおいて、電子運転免許証は、読み書き可能記憶手段と通信手段とを有する。車体側制御装置は、電子運転免許証と通信可能な通信手段と、電子運転免許証からの情報を記憶する読み書き可能記憶手段と、電子運転免許証との情報の入出力を認証するシステム制御手段とを有する。車載機器の使用に対しユーザの操作パスワードを設け、ユーザの認証に必要なデータの車体側制御装置および電子運転免許証の各読み書き可能記憶手段への登録を可能にするとともに、車載機器の使用開始時に、車体側制御装置が電子運転免許証に対して認証を行い、認証結果をもとに車載機器の使用を許可するか否かを判定する。
【０００４】
【特許文献１】特開２０００−３２６６７０号公報
【特許文献２】特開２００４−２３７８４２号公報
【発明の開示】
【発明が解決しようとする課題】
【０００５】
上述した特許文献１に開示された技術では、運転免許証をＩＣカード化して、ＩＣカードに自車の故障履歴や違反点数といった情報を記憶させたり、書き換えたりすることはできるが、ＩＣカードに記憶されている情報をユーザが有効に利用して、交通事故や違反の再発防止に役立てることはできない。また、ＩＣカードの記憶内容の書き換えは整備工場や警察署で行われるため、ユーザにとっては手間がかかりメリットが少ない。
【０００６】
また、特許文献２に開示された技術では、運転免許証を電子化し、車載機器が電子運転免許証に記録されている情報との認証を行い、認証の結果に応じて、車両機器の使用を許可するか否かを制御でき、また、運転免許に関する情報と車両に関する情報を所定の機関に転送するように構成されているが、交通事故や違反の再発防止は考慮されていない。そこで、交通事故や違反に寄与できるシステムの開発が望まれている。
【０００７】
この発明は、上述した要請に応えるためになされたものであり、その課題は、交通事故や違反の再発を防止できる交通違反再発防止システムを提供することにある。
【課題を解決するための手段】
【０００８】
この発明に係る交通違反再発防止システムは、事故情報および違反情報を含む免許証情報が記録された運転免許証とナビゲーション装置とを備え、ナビゲーション装置は、地図情報を記憶する情報記憶部と、運転免許証に記録されている事故情報および違反情報を含む免許証情報を読み取る読取部と、読取部で読み取られた免許証情報に含まれる事故情報または違反情報によって示される事故または違反の発生地点を情報記憶部に記憶されている地図情報に反映する情報解析部と、情報記憶部に記憶されている地図情報に基づき案内を行い、案内する地点が情報記憶部に記憶されている地図情報によって示される事故または違反の発生地点に至った場合に注意喚起メッセージを出力するシステム制御部とを備えている。
【発明の効果】
【０００９】
この発明によれば、免許証情報に含まれる事故情報または違反情報によって示される事故または違反の発生地点を情報記憶部に記憶されている地図情報に反映しておき、この情報記憶部に記憶されている地図情報に基づき案内を行っている際に、案内する地点が情報記憶部に記憶されている地図情報によって示される事故または違反の発生地点に至った場合に注意喚起メッセージが出力されるので、事故や違反の再発を防止できる。
【発明を実施するための最良の形態】
【００１０】
以下、この発明の実施の形態を、図面を参照しながら詳細に説明する。
実施の形態１．
この発明の実施の形態１に係る交通違反再発防止システムは、電子化された運転免許証から過去の事故や違反を起こした地点などの情報を入手し、その地点に近づいた時に、ユーザに表示や音声で注意を喚起することにより、交通事故や違反の再発を防止するようにしたものである。
【００１１】
図１は、この発明の実施の形態１に係る交通違反再発防止システムの構成を示すブロック図である。この交通違反再発防止システムは、車両に搭載されるナビゲーション装置１と運転免許証２とから構成されている。
【００１２】
ナビゲーション装置１と運転免許証２との間は、無線通信によって接続される。運転免許証２は、例えばＲＦタグといった非接触ＩＣチップを備えたカードから構成されており、非接触ＩＣチップには、免許証情報を記憶したメモリ２ａが設けられている。このメモリ２ａの内容を読み取る読取装置１７（詳細は後述する）としては、ＲＦタグスキャナが使用される。
【００１３】
運転免許証２に記憶される免許証情報は、基本情報、事故履歴情報および違反履歴情報から構成されており、これらがテーブル形式でメモリ２ａに格納されている。なお、運転免許証２への免許証情報の書き込みは、例えば免許証更新時または随時に警察署で行われる。また、交通事故や違反が発生した時点で、その現場において、警察官が、ハンディタイプの書き込み装置を用いて、運転免許証２へ免許証情報が書き込まれる。
【００１４】
免許証情報のうちの基本情報は、従来の運転免許証に記載されている内容であり、図２に示すように、免許番号、氏名、生年月日、本籍、住所、交付日、有効期限および免許種類から構成されている。事故履歴情報は、図３に示すように、事故履歴の項目、事故発生の日時、位置、区分、内容、減点および点数残から構成されている。違反履歴情報は、図４に示すように、違反履歴の項目、違反発生の日時、位置、区分、内容、減点および点数残から構成されている。
【００１５】
なお、ナビゲーション装置１と運転免許証２との間は、Ｂｌｕｅｔｏｏｔｈを用いた近距離無線通信により接続することもできる。さらには、ナビゲーション装置１と運転免許証２との間は、有線で接続するように構成できる。この場合、運転免許証２は、接触式のＩＣカードで構成し、読取装置１７は、ＩＣカードリーダで構成することができる。
【００１６】
ナビゲーション装置１は、入力装置１１、入力制御部１２、表示出力装置１３、表示出力制御部１４、音声出力装置１５、音声出力制御部１６、読取装置１７、読取制御部１８、情報記憶部１９、情報解析部２０およびシステム制御部２１から構成されている。
【００１７】
入力装置１１は、例えばタッチパネル、リモートコントローラ、操作ボタン、音声認識機能を有する音声入力装置などから構成することができ、ユーザが情報を入力するために使用される。この入力装置１１が操作されることによって発生された信号は、入力制御部１２に送られる。入力制御部１２は、入力装置１１を制御する。具体的には、入力制御部１２は、入力装置１１から送られてくる信号を、入力データとしてシステム制御部２１に送る。
【００１８】
表示出力装置１３は、例えば液晶ディスプレイ装置から構成されており、表示出力制御部１４から送られてくる映像信号に従って、地図やメッセージを表示する。表示出力制御部１４は、表示出力装置１３を制御する。具体的には、表示出力制御部１４は、システム制御部２１から送られてくる表示データを、表示出力装置１３で取り扱い可能な映像信号に変換して表示出力装置１３に送る。
【００１９】
音声出力装置１５は、例えばスピーカから構成されており、音声出力制御部１６から送られてくる音声信号に従って、ユーザに通知するメッセージを音声で出力する。音声出力制御部１６は、音声出力装置１５を制御する。具体的には、音声出力制御部１６は、システム制御部２１から送られてくる音声データを、音声出力装置１５で取り扱い可能な音声信号に変換して音声出力装置１５に送る。
【００２０】
読取装置１７は、上述したように例えばＲＦタグスキャナから構成されており、運転免許証２に無線で電力を供給するとともに、運転免許証２のメモリ２ａに記録されている免許証情報を無線通信によって読み取る。読取制御部１８は、読取装置１７を制御する。具体的には、読取制御部１８は、読取装置１７を起動するとともに、読取装置１７で読み取られた免許証情報を、システム制御部２１に送る。この発明の読取部は、読取装置１７および読取制御部１８から構成されている。
【００２１】
情報記憶部１９は、例えばＨＤＤ（Hard disk）や大容量の読み出しおよび書き込みが可能な不揮発性メモリから構成されており、地図情報を記憶するとともに、システム制御部２１から送られてくる免許証情報や、その他のナビゲーション装置１に必要な情報を記憶する。この情報記憶部１９は、情報解析部２０およびシステム制御部２１によってアクセス（書き込みおよび読み取り）される。
【００２２】
情報解析部２０は、情報記憶部１９から免許証情報を取得して解析する。具体的には、情報解析部２０は、システム制御部２１からの指示に応じて、読取装置１７で読み取られて情報記憶部１９に記憶されている免許証情報に含まれる事故情報または違反情報によって示される事故または違反の発生地点を計算する。この情報解析部２０における計算結果は、注意喚起位置として、情報記憶部１９に記憶されている地図情報に反映される、つまり地図情報に書き込まれる。
【００２３】
システム制御部２１は、ナビゲーション装置１の全体を制御する。例えば、システム制御部２１は、この発明の特徴に係る処理（詳細は後述する）を実行する他、ナビゲーション機能を実現するための種々の処理を実行する。
【００２４】
次に、上記のように構成される、この発明の実施の形態１に係る交通違反再発防止システムの動作を説明する。以下では、この発明の特徴に係る部分、すなわち、読取装置１７から読取制御部１８を経由して取得された免許証情報を情報解析部２０において解析し、音声出力装置１５および表示出力装置１３を用いてユーザに注意喚起メッセージを通知する処理を中心に説明する。
【００２５】
図５は、ナビゲーション装置１で行われる免許証情報展開処理を示すフローチャートである。この免許証情報展開処理では、運転免許証２から免許証情報を取得して解析し、交通事故や違反の発生地点を表す情報等を地図情報に反映させる処理が行われる。
【００２６】
具体的には、免許証情報展開処理では、まず、免許証情報取得処理が実行される（ステップＳＴ１１）。すなわち、システム制御部２１は、読取制御部１８に所定の指示を送ることにより、読取装置１７を起動する。読取制御部１８から起動された読取装置１７は、運転免許証２が近傍（電波が届く範囲）に存在する場合は、そのメモリ２ａから免許証情報を読み出し、読取制御部１８を経由してシステム制御部２１に送る。
【００２７】
次いで、免許証情報を受信できたかどうかが調べられる（ステップＳＴ１２）。すなわち、システム制御部２１は、読取装置１７から読取制御部１８を経由して免許証情報を受信できたかどうかを調べる。このステップＳＴ１２において、免許証情報を受信できなかったことが判断されると、シーケンスはステップＳＴ１１に戻り、上述した処理が繰り返される。一方、ステップＳＴ１２において、免許証情報を受信できたことが判断されると、免許証情報格納処理が実行される（ステップＳＴ１３）。すなわち、システム制御部２１は、読取装置１７から読取制御部１８を経由して受信した免許証情報を情報記憶部１９に格納する。
【００２８】
次いで、免許証情報解析処理が実行される（ステップＳＴ１４）。すなわち、システム制御部２１は、情報解析部２０に対して情報解析を指示する。これにより、情報解析部２０は、情報記憶部１９から免許証情報を読み出し、解析処理を実行する。具体的には、免許証情報に含まれる事故履歴情報から事故の発生位置および違反履歴情報から違反の発生位置を求める。次いで、地図情報反映処理が実行される（ステップＳＴ１５）。すなわち、情報解析部２０は、ステップＳＴ１４で求められた事故の発生位置および違反の発生位置を、注意喚起位置として情報記憶部１９に記憶されている地図情報に格納する。
【００２９】
以上の免許証情報展開処理により、免許証情報を単に運転免許証２に記録するだけではなく、免許証情報をナビゲーション装置１が記憶している地図情報に反映させるように構成したので、この免許証情報が反省された地図情報は、後述するような事故や違反の発生地点に至った場合にユーザに注意喚起メッセージを通知する他に、種々の用途に活用できる。
【００３０】
図６は、図５に示す免許証情報展開処理が完了した後に、ナビゲーション装置１で行われる注意喚起処理を示すフローチャートである。この注意喚起処理では、現在位置が、過去の事故または違反した場所に至った場合に、その旨を表す注意喚起メッセージがユーザに通知される。
【００３１】
具体的には、まず、注意喚起位置になったかどうかが調べられる（ステップＳＴ２１）。すなわち、システム制御部２１は、図示しない位置検出装置から取得した現在位置と情報記憶部１９から読み出した地図情報とを比較し、現在位置が、上述した免許証情報展開処理によって地図情報中に記憶され注意喚起位置になったかどうかを調べる。
【００３２】
このステップＳＴ２１において、注意喚起位置になったことが判断されると、通知処理が行われる（ステップＳＴ２２）。すなわち、システム制御部２１は、表示出力制御部１４に所定の指示を送ることにより、表示出力装置１３に、例えば「まもなく２００ｘ年ｍｍ月ｄｄ日に一時停止違反した場所です。お気をつけください。」という注意喚起メッセージを表示させるとともに、音声出力制御部１６に所定の指示を送ることにより、音声出力装置１５に、上記表示された注意喚起メッセージを音声で出力させる。上記ステップＳＴ２１において、注意喚起位置になっていないことが判断されると、ステップＳＴ２２の処理はスキップされる。
【００３３】
次いで、ナビゲーション終了であるかどうかが調べられる（ステップＳＴ２３）。すなわち、ナビゲーション装置１による案内の停止が指示されたかどうかが調べられる。このステップＳＴ２３において、ナビゲーション終了でないことが判断されると、シーケンスはステップＳＴ２１に戻り、上述した処理が繰り返される。一方、ステップＳＴ２３において、ナビゲーション終了であることが判断されると、注意喚起処理は終了する。
【００３４】
以上説明したように、この発明の実施の形態１に係る交通違反再発防止システムによれば、ユーザは過去に自分が起こした交通事故や違反した場所を思い出すことができ、同じ場所で同じ事故や違反を行わないように注意することが可能になる。その結果、交通事故や違反の再発防止につながる。
【００３５】
また、ナビゲーション装置１は、運転免許証２からの免許証情報の受け取りをＲＦタグといった無線方式を採用して行うように構成したので、大掛かりな読取装置は不要になり、コスト的なメリットがある。
【００３６】
実施の形態２．
この発明の実施の形態２に係る交通違反再発防止システムは、免許証情報を外部から通信網を介して取得することにより、免許証情報の取得の手間を軽減するようにしたものである。
【００３７】
図７は、この発明の実施の形態２に係る交通違反再発防止システムの構成を示すブロック図である。この交通違反再発防止システムは、実施の形態１に係る交通違反再発防止システムに、外部通信装置４、網側通信装置６、通信網７、情報管理装置８および情報データ記憶部９が追加されて構成されている。また、ナビゲーション装置１に、外部通信制御部２２が追加されて構成されている。
【００３８】
ナビゲーション装置１の内部の外部通信制御部２２は、システム制御部２１からの指示に応じて、外部通信装置４を制御する。外部通信装置４は、例えば携帯電話から構成されており、通信網７に接続された網側通信装置６との間の通信を制御する。網側通信装置６は、通信網７に接続された通信装置（例えば基地局）である。この網側通信装置６は、外部通信装置４と無線により接続され、外部通信装置４と通信網７との間の通信を制御する。通信網７は、例えばインターネットから構成されている。
【００３９】
情報管理装置８は、通信網７に接続されたサーバから構成されており、例えば警察署に設置される。この情報管理装置８には、情報データ記憶部９が接続されている。この情報データ記憶部９には、実施の形態１で説明した免許証情報（基本情報、事故履歴情報および違反履歴情報）が記憶されている。
【００４０】
次に、上記のように構成される、この発明の実施の形態２に係る交通違反再発防止システムの動作を、図８に示すフローチャートを参照しながら説明する。図８に示すフローチャートは、情報管理装置８に接続されている情報データ記憶部９から免許証情報を、ユーザが自発的に取得するか、自動で情報管理装置８から通知してもらうか、また、ユーザが自発的に取得する場合は、ユーザが手動操作を行って免許証情報を取得しにいくか、ナビゲーション装置が自動で免許証情報を取得するかを選択する手順と、免許証情報を取得する処理を示している。
【００４１】
以下、具体的な処理手順を説明する。まず、免許証情報の取得方法が選択される（ステップＳＴ３１）。すなわち、システム制御部２１は、ユーザによって入力装置１１から入力された免許証情報の取得方法が、「問合」であるか「通知」であるかを調べる。このステップＳＴ３１において、問合であることが判断されると、次いで、問合を手動で行うか自動で行うかが調べられる（ステップＳＴ３２）。すなわち、システム制御部２１は、ユーザによって入力装置１１から入力された問合方法が、「手動」であるか「自動」であるかを調べる。
【００４２】
ステップＳＴ３２において、手動であることが判断されると、次いで、ユーザ操作がなされたかどうかが調べられる（ステップＳＴ３３）。すなわち、システム制御部２１は、入力装置１１から入力制御部１２を経由して受け取った入力データが、入力装置１１の操作がなされたことを示しているどうかを調べる。このステップＳＴ３３において、ユーザ操作がなされていないことが判断されると、シーケンスはステップＳＴ３３に戻り、再度ユーザ操作がなされたかどうかが調べられる。
【００４３】
一方、ステップＳＴ３３において、ユーザ操作がなされたことが判断されると、次いで、問合処理が実行される（ステップＳＴ３４）。すなわち、システム制御部２１は、外部通信制御部２２に所定の指示を送ることにより外部通信装置４を起動する。これにより、外部通信装置４は、問合要求を網側通信装置６および通信網７を介して、情報管理装置８に送る。情報管理装置８は、この問合要求に応答して情報データ記憶部９から免許証情報を取り出し、通信網７および網側通信装置６を介して、外部通信装置４に送る。外部通信装置４は、受け取った免許証情報を、外部通信制御部２２を介してシステム制御部２１に送る。
【００４４】
次いで、情報更新処理が実行される（ステップＳＴ３５）。すなわち、システム制御部２１は、外部通信装置４から外部通信制御部２２を経由して受け取った免許証情報を情報記憶部１９に格納する。その後、図示は省略しているが、実施の形態１の場合と同様に、免許証情報解析処理および地図情報反映処理が実行される。次いで、オフ操作がなされたかどうかが調べられる（ステップＳＴ３６）。上述したステップＳＴ３５の処理が終了すると、情報更新がなされた旨のメッセージが表示出力装置１３に表示されるので、ユーザは、この表示を見て処理を終了するかどうかを判断することができる。このステップＳＴ３６において、オフ操作がなされていないことが判断されると、シーケンスはステップＳＴ３３に戻り、上述した処理が繰り返される。一方、ステップＳＴ３６において、オフ操作がなされたことが判断されると、処理は終了する。
【００４５】
上記ステップＳＴ３２において、自動であることが判断されると、問合処理が実行される（ステップＳＴ３７）。このステップＳＴ３７の処理は、上述したステップＳＴ３４の処理と同じである。次いで、情報更新処理が実行される（ステップＳＴ３８）。このステップＳＴ３８の処理は、上述したステップＳＴ３５の処理と同じである。次いで、オフ操作がなされたかどうかが調べられる（ステップＳＴ３９）。上述したステップＳＴ３８の処理が終了すると、情報更新がなされた旨のメッセージが表示出力装置１３に表示されるので、ユーザは、この表示を見て処理を終了するかどうかを判断することができる。このステップＳＴ３９において、オフ操作がなされていないことが判断されると、シーケンスはステップＳＴ３７に戻り、上述した処理が繰り返される。一方、ステップＳＴ３９において、オフ操作がなされたことが判断されると、処理は終了する。
【００４６】
上記ステップＳＴ３１において、通知であることが判断されると、次いで、通知要求処理が実行される（ステップＳＴ４０）。すなわち、ナビゲーション装置１から情報管理装置８に対し、通知を受けることができるように依頼する。これにより、以後は、情報管理装置８で管理している情報に変更があった場合に、情報管理装置８からナビゲーション装置１に対して通知がなされる。次いで、オフ操作がなされたかどうかが調べられる（ステップＳＴ４１）。このステップＳＴ４１において、オフ操作がなされていないことが判断されると、データが受信されたかどうかが調べられる（ステップＳＴ４２）。
【００４７】
このステップＳＴ４２において、データが受信されていないことが判断されると、シーケンスはステップＳＴ４１に戻り、上述した処理が繰り返される。一方、ステップＳＴ４２において、データが受信されたことが判断されると情報更新処理が実行される（ステップＳＴ４３）。このステップＳＴ４３の処理は、上述したステップＳＴ３５の処理と同じである。その後、シーケンスはステップＳＴ４１に戻り、上述した処理が繰り返される。
【００４８】
上記ステップＳＴ４１において、オフ操作がなされたことが判断されると、次いで、通知終了処理が実行される（ステップＳＴ４４）。すなわち、ナビゲーション装置１から情報管理装置８に対し、通知を停止するように依頼する。これにより、以後は、情報管理装置８で管理している情報に変更があった場合であっても、情報管理装置８からナビゲーション装置１に対する通知はなされない。以上により、交通違反再発防止システムにおける処理は終了する。
【００４９】
次に、本発明の理解を深めるために、上述した実施の形態２に係る交通違反再発防止システムにおいて、免許証情報を取得する方法として「通知」が指定された場合の詳細な動作を、ナビゲーション装置１と情報管理装置８との間の通信シーケンスを表す図９を参照しながら説明する。
【００５０】
今、ナビゲーション装置１および情報管理装置８は、いずれも起動中であるものとする。この状態において、ユーザは、ナビゲーション装置１の入力装置１１を用いて、免許証情報取得方法を該ナビゲーション装置１に設定する。ナビゲーション装置１は、これに応答して、表示出力装置１３の設定画面に「問合」および「通知」を表示する。
【００５１】
次いで、ユーザは、ナビゲーション装置１の入力装置１１を用いて、表示出力装置１３の設定画面の「通知」を選択すると、ナビゲーション装置１は、これに応答して、通知周期設定の画面を表示出力装置１３に表示する。ユーザは、ナビゲーション装置１の入力装置１１を用いて、表示出力装置１３の通知周期の中の１つ、例えば「ＸＸ毎」を選択すると、ナビゲーション装置１は、これに応答して、通知設定中の画面を表示出力装置１３に表示する。
【００５２】
その後、ナビゲーション装置１は、免許証情報通知要求を、通信網７を経由して情報管理装置８に送信する。これにより、ナビゲーション装置１と情報管理装置８との間で所定のデータを送受信することにより、免許証認証処理が実行される。この免許証認証処理が終了すると、次いで、ナビゲーション装置１と情報管理装置８との間で免許証データ暗号化処理が実行される。そして、免許証データ暗号化処理が完了すると、情報管理装置８は、免許証情報通知設定完了をナビゲーション装置１に送信する。
【００５３】
次いで、情報管理装置８においては、情報データ記憶部９に対してデータ確認を要求する。情報データ記憶部９は、このデータ確認の要求に応答して、確認を要求されたデータを情報管理装置８に転送する。情報管理装置８は、情報データ記憶部９から受け取ったデータが更新されているかどうかを照合し、更新されている場合は、更新がある旨の情報をナビゲーション装置１に送信する。この更新がある旨の情報を受信すると、その旨を表示出力装置１３に表示してユーザに通知する。
【００５４】
ユーザは、この表示出力装置１３に表示された内容を見て、必要な情報であると判断した場合は、ユーザは、ナビゲーション装置１の入力装置１１を用いて、内容表示要求を該ナビゲーション装置１に設定する。ナビゲーション装置１は、設定された内容表示要求を情報管理装置８に送信する。この内容表示要求を受信した情報管理装置８は、先に情報データ記憶部９から取得したデータをナビゲーション装置１に送信する。ナビゲーション装置１では、受信したデータに基づき情報更新を行う。この情報更新は、図８のフローチャートに示したステップＳＴ４３の処理と同じである。その後、ナビゲーション装置１は、情報管理装置８から受信したデータを表示出力装置１３に表示して処理を終了する。
【００５５】
以上説明したように、この発明の実施の形態２に係る交通違反再発防止システムによれば、外部の情報管理装置８から通信網７を介して免許証情報を取得するように構成したので、ユーザは、運転免許証２に記録されている免許証情報を書き換えるために、警察署に出向く手間を省くことができる。また、警察署は、例えば、運転免許証の更新時期を自動でユーザに知らせたり、一般的な事故情報をユーザに知らせるといった付加的なサービスを提供することも可能になる。
【００５６】
なお、上述した実施の形態２に係る交通違反再発防止システムでは、外部通信装置４は、情報管理装置８から受信した免許証情報を直接にナビゲーション装置１に送るように構成したが、外部通信装置４は、その内部にメモリ４ａを有するＲＦタグを備えておき、情報管理装置８から受信した免許証情報を記憶し、この記憶された免許証情報を読取装置１７で読み取るように構成することもできる。
【００５７】
また、ナビゲーション装置１は、免許証情報から免許種類を表す情報を取得し、車両情報と不一致の場合は、その旨をユーザに通知し、不適切な使用を防止するように構成することができる。また、ナビゲーション装置１は、免許証情報を情報管理装置８へ通知するように構成することもできる。この場合、オートマチック車限定の運転免許証の所有者がマニュアル車を運転しようとしたり、免許種類に示されていない自動車を運転しようとする場合などは、情報管理装置８からナビゲーション装置１に、その旨を通知して、不適切な使用を防止するように構成できる。
【図面の簡単な説明】
【００５８】
【図１】この発明の実施の形態１に係る交通違反再発防止システムの構成を示すブロック図である。
【図２】この発明の実施の形態１に係る交通違反再発防止システムで使用される運転免許証に記録される免許証情報のうちの基本情報を示す図である。
【図３】この発明の実施の形態１に係る交通違反再発防止システムで使用される運転免許証に記録される免許証情報のうちの事故履歴情報を示す図である。
【図４】この発明の実施の形態１に係る交通違反再発防止システムで使用される運転免許証に記録される免許証情報のうちの違反履歴情報を示す図である。
【図５】この発明の実施の形態１に係る交通違反再発防止システムのナビゲーション装置で行われる免許証情報展開処理を示すフローチャートである。
【図６】この発明の実施の形態１に係る交通違反再発防止システムのナビゲーション装置で行われる注意喚起処理を示すフローチャートである。
【図７】この発明の実施の形態２に係る交通違反再発防止システムの構成を示すブロック図である。
【図８】この発明の実施の形態２に係る交通違反再発防止システムのナビゲーション装置で行われる処理を示すフローチャートである。
【図９】この発明の実施の形態２に係る交通違反再発防止システムのナビゲーション装置と情報管理装置との間で行われる通信シーケンスを示す図である。
【符号の説明】
【００５９】
１  ナビゲーション装置、２  運転免許証、２ａ，４ａ  メモリ、４  外部通信装置、６  網側通信装置、７  通信網、８  情報管理装置、９  情報データ記憶部、１１  入力装置、１２  入力制御部、１３  表示出力装置、１４  表示出力制御部、１５  音声出力装置、１６  音声出力制御部、１７  読取装置、１８  読取制御部、１９  情報記憶部、２０  情報解析部、２１  システム制御部、２２  外部通信制御部。
【図１】
2007315800.tif 000003
【図２】
2007315800.tif 000004
【図３】
2007315800.tif 000005
【図４】
2007315800.tif 000006
【図５】
2007315800.tif 000007
【図６】
2007315800.tif 000008
【図７】
2007315800.tif 000009
【図８】
2007315800.tif 000010
【図９】
2007315800.tif 000011